【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
ユーザ設備（ＵＥ）デバイスのためのネットワーク選択方法であって、該方法は、
該ＵＥデバイスによってネットワーク情報を集めることと、
第１のパブリックランドモバイルネットワーク（ＰＬＭＮ）に関連づけられ、第１のＡインターフェースおよび第1のＧｂインターフェースのうちの少なくとも１つを介して該第1のＰＬＭＮに接続されたデフォルトジェネリックアクセスネットワークコントローラ（ＧＡＮＣ）にメッセージを送信することであって、該メッセージは、該ネットワーク情報およびＧＡＮＣを通して提供された１つ以上のＰＬＭＮサービスに対する要求のうちの少なくとも１つを含み、該メッセージは、Ｕｐインターフェースを介して該デフォルトＧＡＮＣに送信される、ことと、
該Ｕｐインターフェースを介して、該デフォルトＧＡＮＣから応答メッセージを受信することであって、該応答メッセージは、１つ以上のＧＡＮＣのリストを含み、該１つ以上のＧＡＮＣは、それぞれが、対応するＡインターフェースおよび対応するＧｂインターフェースのうちの少なくとも１つを介して、対応するＰＬＭＮに結合される、ことと
を包含する、方法。
【請求項２】
前記第１のＰＬＭＮは、ジェネラルパケットラジオサービス（ＧＰＲＳ）ネットワーク、エンハンストデータレートフォーグローバルシステムフォーモバイルコミュニケーション（ＧＳＭ）エボルーション（ＥＤＧＥ）ネットワーク、第３世代パートナーシッププロジェクト（３ＧＰＰ）準拠ネットワーク、インテグレーテッドデジタルエンハンストネットワーク（ＩＤＥＮ）、コードディビジョンマルチプルアクセス（ＣＤＭＡ）ネットワーク、ユニバーサルモバイルテレコミュニケーションシステム（ＵＭＴＳ）ネットワーク、およびユニバーサルテレストリアルラジオアクセスネットワーク（ＵＴＲＡＮ）のうちの少なくとも１つを含む、請求項１に記載のネットワーク選択方法。
【請求項３】
前記デフォルトＧＡＮＣは、前記ＵＥ設備に格納されたユニフォームリソースロケータ（ＵＲＬ）で識別されるＧＡＮＣである、請求項１に記載のネットワーク選択方法。
【請求項４】
前記デフォルトＧＡＮＣは、前記ＵＥ設備に格納されたＩＰアドレスで識別されるＧＡＮＣである、請求項１に記載のネットワーク選択方法。
【請求項５】
前記デフォルトＧＡＮＣは、前記ＵＥ設備に格納されたフリークオリファイドドメインネーム（ＦＱＤＮ）で識別されるＧＡＮＣである、請求項１に記載のネットワーク選択方法。
【請求項６】
前記ネットワーク情報は、登録されたＰＬＭＮのセルグローバルアイデンティフィケーション（ＣＧＩ）情報、利用可能なＰＬＭＮに関するＣＧＩ情報、任意の事前登録失敗の原因値、少なくとも１つの利用可能なＰＬＭＮのブロードキャストコントロールチャネル（ＢＣＣＨ）情報、および少なくとも１つの利用可能なＰＬＭＮのパケットコントロールチャネル（ＰＣＣＨ）情報のうちの少なくとも１つを含む、請求項１に記載のネットワーク選択方法。
【請求項７】
前記第１のＰＬＭＮは、前記ＵＥ設備に関連づけられたホームＰＬＭＮである、請求項１に記載のネットワーク選択方法。
【請求項８】
前記第１のＰＬＭＮは、前記ＵＥ設備に関する訪問者用ＰＬＭＮである、請求項１に記載のネットワーク選択方法。
【請求項９】
前記１つ以上のＰＬＭＮサービスを取得するための前記受信されたリストから、第２のＰＬＭＮに結合された第２のＧＡＮＣを選択することをさらに包含し、該第２のＧＡＮＣは、第２のＡインターフェースおよび第２のＧｂインターフェースのうちの少なくとも１つを介して該第２のＰＬＭＮに結合される、請求項１に記載のネットワーク選択方法。
【請求項１０】
前記１つ以上のＰＬＭＮサービスは、音声だけのサービス、データだけのサービス、音声とデータとのサービス、マルチメディアサービス、付加価値サービスおよびアンライセンストモバイルアクセス（ＵＭＡ）サービスのうちの少なくとも１つを含む、請求項１に記載のネットワーク選択方法。
【請求項１１】
前記デフォルトＧＡＮＣに対する前記メッセージは、ジェネリックアクセス−リソースコントロール（ＧＡ−ＲＣ）ＲＥＧＩＳＴＥＲ  ＲＥＱＵＥＳＴメッセージを含む、請求項１に記載のネットワーク選択方法。
【請求項１２】
前記応答メッセージは、ＧＡ−ＲＣ  ＲＥＧＩＳＴＥＲ  ＲＥＤＩＲＥＣＴメッセージを含む、請求項１に記載のネットワーク選択方法。
【請求項１３】
ＩＥＥＥ８０２．１１ｂ規格、ＩＥＥＥ８０２．１１ａ規格、ＩＥＥＥ８０２．１１ｇ規格、ＨｉｐｅｒＬａｎおよびＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも１つを使用してインターネットプロトコル（ＩＰ）アクセスポイントと前記ＵＥ設備とを接続することをさらに包含する、請求項１に記載のネットワーク選択方法。
【請求項１４】
ユーザ設備（ＵＥ）デバイスであって、該ＵＥデバイスは、
ネットワーク情報を集めるために複数のサブシステムのうちの少なくとも１つを制御するように構成されたプロセッサを備え、
該プロセッサは、該複数のサブシステムのうちの少なくとも１つを制御して、Ｕｐインターフェースを介して、第１のパブリックランドモバイルネットワーク（ＰＬＭＮ）に関連づけられ、第１のＡインターフェースおよび第1のＧｂインターフェースのうちの少なくとも１つを介して該第1のＰＬＭＮに接続されたデフォルトジェネリックアクセスネットワークコントローラ（ＧＡＮＣ）にメッセージを送信するようにさらに構成され、該メッセージは、該ネットワーク情報およびＧＡＮＣを通して提供された１つ以上のＰＬＭＮサービスに対する要求のうちの少なくとも１つを含み、
該プロセッサは、なお、該Ｕｐインターフェースを介して、該デフォルトＧＡＮＣから受信された応答メッセージを処理するように該複数のサブシステムのうちの少なくとも１つを制御するようにさらに構成され、該応答メッセージは、１つ以上のＧＡＮＣのリストを含み、該１つ以上のＧＡＮＣは、それぞれが、対応するＡインターフェースおよび対応するＧｂインターフェースのうちの少なくとも１つを介して、対応するＰＬＭＮに結合される、ユーザ設備デバイス。
【請求項１５】
前記１つ以上のＰＬＭＮサービスは、音声だけのサービス、データだけのサービス、音声とデータとのサービス、マルチメディアサービス、付加価値サービスおよびアンライセンストモバイルアクセス（ＵＭＡ）サービスのうちの少なくとも１つを含む、請求項１４に記載のＵＥデバイス。
【請求項１６】
前記デフォルトＧＡＮＣのアドレスを格納するように構成された構成要素をさらに含む、請求項１４に記載のＵＥデバイス。
【請求項１７】
前記デフォルトＧＡＮＣの前記アドレスは、ユニフォームリソースロケータ（ＵＲＬ）である、請求項１６に記載のＵＥデバイス。
【請求項１８】
前記デフォルトＧＡＮＣの前記アドレスは、ＵＰアドレスである、請求項１６に記載のＵＥデバイス。
【請求項１９】
前記デフォルトＧＡＮＣの前記アドレスは、フリークオリファイドドメインネーム（ＦＱＤＮ）である、請求項１６に記載のＵＥデバイス。
【請求項２０】
前記ネットワーク情報は、登録されたＰＬＭＮのセルグローバルアイデンティフィケーション（ＣＧＩ）情報、利用可能なＰＬＭＮに関するＣＧＩ情報、任意の事前登録失敗の原因値、少なくとも１つの利用可能なＰＬＭＮのブロードキャストコントロールチャネル（ＢＣＣＨ）情報、および少なくとも１つの利用可能なＰＬＭＮのパケットコントロールチャネル（ＰＣＣＨ）情報のうちの少なくとも１つを含む、請求項１４に記載のＵＥデバイス。
【請求項２１】
前記プロセッサは、ＩＥＥＥ８０２．１１ｂ規格、ＩＥＥＥ８０２．１１ａ規格、ＩＥＥＥ８０２．１１ｇ規格、ＨｉｐｅｒＬａｎおよびＨｉｐｅｒＬａｎ  ＩＩ規格、Ｗｉ−Ｍａｘ規格、ＯｐｅｎＡｉｒ規格、およびＢｌｕｅｔｏｏｔｈ規格のうちの少なくとも１つを使用してインターネットプロトコル（ＩＰ）アクセスポイントと前記ＵＥ設備とを接続するように前記複数のサブシステムのうちの少なくとも１つを制御するようにさらに構成される、請求項１４に記載のＵＥデバイス。
【請求項２２】
前記１つ以上のＰＬＭＮサービスを取得するための前記受信されたリストから、第２のＰＬＭＮに結合された第２のＧＡＮＣを選択するように前記複数のサブシステムのうちの少なくとも１つを制御するようにさらに構成され、該第２のＧＡＮＣは、第２のＡインターフェースおよび第２のＧｂインターフェースのうちの少なくとも１つを介して該第２のＰＬＭＮに結合される、請求項１４に記載のＵＥデバイス。
【請求項２３】
第１のパブリックランドモバイルネットワーク（ＰＬＭＮ）に関連づけられ、第１のＡインターフェースおよび第1のＧｂインターフェースのうちの少なくとも１つを介して該第1のＰＬＭＮに接続されたジェネリックアクセスネットワークコントローラ（ＧＡＮＣ）であって、該ＧＡＮＣは、
Ｕｐインターフェースを介してユーザ設備（ＵＥ）デバイスから受信されたメッセージを処理するように構成された構成要素であって、該メッセージは、該ネットワーク情報および１つ以上のＰＬＭＮサービスに対する要求のうちの少なくとも１つを含む、構成要素と、
該Ｕｐインターフェースを介して、該ＵＥデバイスに応答メッセージを伝送するように構成された構成要素であって、該応答メッセージは、１つ以上のＧＡＮＣのリストを含み、該１つ以上のＧＡＮＣは、それぞれが、対応するＡインターフェースおよび対応するＧｂインターフェースのうちの少なくとも１つを介して、対応するＰＬＭＮに結合される、構成要素と
を備える、ＧＡＮＣ。
【請求項２４】
前記１つ以上のＰＬＭＮサービスは、音声だけのサービス、データだけのサービス、音声とデータとのサービス、マルチメディアサービス、付加価値サービスおよびアンライセンストモバイルアクセス（ＵＭＡ）サービスのうちの少なくとも１つを含む、請求項２３に記載のＧＡＮＣ。
【請求項２５】
前記ネットワーク情報は、登録されたＰＬＭＮのセルグローバルアイデンティフィケーション（ＣＧＩ）情報、利用可能なＰＬＭＮに関するＣＧＩ情報、任意の事前登録失敗の原因値、少なくとも１つの利用可能なＰＬＭＮのブロードキャストコントロールチャネル（ＢＣＣＨ）情報、および少なくとも１つの利用可能なＰＬＭＮのパケットコントロールチャネル（ＰＣＣＨ）情報のうちの少なくとも１つを含む、請求項２３に記載のＧＡＮＣ。
【請求項２６】
前記ＵＥデバイスから受信された前記メッセージは、ジェネリックアクセス−リソースコントロール（ＧＡ−ＲＣ）ＲＥＧＩＳＴＥＲ  ＲＥＱＵＥＳＴメッセージを含む、請求項２３に記載のＧＡＮＣ。
【請求項２７】
前記ＵＥデバイスに対する前記応答メッセージは、ＧＡ−ＲＣ  ＲＥＧＩＳＴＥＲ  ＲＥＱＵＥＳＴメッセージを含む、請求項２３に記載のＧＡＮＣ。